(57)【要約】      （修正有）【課題】掘削等を行う作業機械のバケットにおけるアダプタ自体に、バケットのエッジ部を包覆・隠蔽する機能を有するようなバケット先端の隠蔽部付きアダプタを提供する。【解決手段】バケット先端の隠蔽部付きアダプタ１１は、掘削等を行う作業工事用のバケット１のエッジ部２に付設されるものであって、バケット１のエッジ部２に装着される装着部１２と、この装着部１２から突設したポイント又はツース盤装着用の突出体１３とを具備するアダプタ本体１４と、アダプタ本体１４の装着部１２から側方に突出する状態に一体形成され、装着部１２の側方のエッジ部を覆う状態でこのエッジ部に装着されて、エッジ部２を隠蔽する隠蔽部１５とを有する構成としたものである。【選択図】図１
2015031039.tif 000002
【特許請求の範囲】
【請求項１】
掘削等を行う作業工事用のバケットのエッジ部に付設されるバケット先端の隠蔽部付きアダプタであって、
前記バケットのエッジ部に装着される装着部と、この装着部から突設したツース盤又はポイント装着用の突出体とを具備するアダプタ本体と、
前記アダプタ本体の装着部から側方に突出する状態に一体形成され、前記装着部側方におけるバケットのエッジ部を覆う状態でこのエッジ部に装着されて前記エッジ部を隠蔽するように構成した隠蔽部と、
を有することを特徴とするバケット先端の隠蔽部付きアダプタ。
【請求項２】
掘削等を行う作業工事用のバケットのエッジ部に付設されるバケット先端の隠蔽部付きアダプタであって、
前記バケットのエッジ部に対してアダプタ本体凹陥部が装着される装着部と、この装着部から突設した縦ピン穴型又は横ピン穴型でツース盤又はポイント装着用の突出体とを具備するアダプタ本体と、
前記アダプタ本体の装着部から側方に突出する状態に一体形成されるとともに、前記アダプタ本体凹陥部と同様形状の隠蔽部凹陥部を具備し、前記装着部側方におけるバケットのエッジ部を覆う状態でこのエッジ部に隠蔽部凹陥部が装着されて前記エッジ部を隠蔽するように構成した隠蔽部と、
を有することを特徴とするバケット先端の隠蔽部付きアダプタ。
【請求項３】
前記隠蔽部は、アダプタ本体に対して左側方又は右側方に突出する状態に一体形成したものであることを特徴とする請求項１又は２記載のバケット先端の隠蔽部付きアダプタ。
【請求項４】
前記バケット先端の隠蔽部付きアダプタ複数個と、隠蔽部を具備せずこれ以外の部分を隠蔽部付きアダプタと同じ構成としたバケット先端の隠蔽部無しアダプタ１又は２以上複数個をもって、前記バケットのエッジ部を隠蔽するように構成したことを特徴とする請求項１乃至３のいずれかに記載したバケット先端の隠蔽部付きアダプタ。
【請求項５】
前記バケット先端の隠蔽部付きアダプタ４個と、隠蔽部を具備せずこれ以外の部分を隠蔽部付きアダプタと同じ構成としたバケット先端の隠蔽部無しアダプタ１個をもって、前記バケットのエッジ部を隠蔽するように構成したことを特徴とする請求項１乃至３のいずれかに記載したバケット先端の隠蔽部付きアダプタ。
【請求項６】
掘削等を行う作業機械に取り付けられるバケットであって、
バケット自体のエッジ部に装着される装着部と、この装着部から突設したツース盤又はポイント装着用の突出体とを具備するアダプタ本体と、前記アダプタ本体の装着部から側方に突出する状態に一体形成され、前記装着部側方におけるバケットのエッジ部を覆う状態でこのエッジ部に装着されて前記エッジ部を隠蔽するように構成した隠蔽部と、を有する隠蔽部付きアダプタをバケットの幅サイズに合致させた必要個数備えること、
を特徴とする掘削等を行う作業機械に取り付けられるバケット。
【請求項７】
掘削等を行う作業機械に取り付けられるバケットであって、
前記バケットのエッジ部に対してアダプタ本体凹陥部が装着される装着部と、この装着部から突設した縦ピン穴型又は横ピン穴型でツース盤又はポイント装着用の突出体とを具備するアダプタ本体と、前記アダプタ本体の装着部から側方に突出する状態に一体形成されるとともに、前記アダプタ本体凹陥部と同様形状の隠蔽部凹陥部を具備し、前記装着部側方におけるバケットのエッジ部を覆う状態でこのエッジ部に隠蔽部凹陥部が装着されて前記エッジ部を隠蔽するように構成した隠蔽部と、を有する複数個のバケット先端の隠蔽部付きアダプタと、
前記隠蔽部を具備せずこれ以外の部分を隠蔽部付きアダプタと同じ構成とした１又は２以上複数個のバケット先端の隠蔽部無しアダプタと、
を備えることを特徴とする掘削等を行う作業機械に取り付けられるバケット。
【請求項８】
前記バケット先端の隠蔽部付きアダプタ４個と、バケット先端の隠蔽部無しアダプタ１個とを前記バケットのエッジ部に列設固定し、このバケットのエッジ部を隠蔽するように構成したことを特徴とする請求項７に記載の掘削等を行う作業機械に取り付けられるバケット。
【請求項９】
前記バケット先端の隠蔽部付きアダプタの隠蔽部は、アダプタ本体に対して左側方又は右側方に突出する状態に一体形成したものであることを特徴とする請求項６乃至８のいずれかに記載の掘削等を行う作業機械に取り付けられるバケット。
【発明の詳細な説明】
【技術分野】
【０００１】
本発明は、バケット先端の隠蔽部付きアダプタ及び掘削等を行う作業機械に取り付けられるバケットに関し、詳しくは、この種のアダプタにおける既存のアダプタ機能、すなわち、バケット先端部分にツース盤又はポイントを装着する場合のアダプタ用具としての機能を有するとともに、バケット先端部分にツース盤を装着する場合のアダプタとして用いる場合においては、バケット先端部分（エッジ部）を包覆・隠蔽する構成とすることにより、バケット先端部分の磨耗を大幅に無くし、バケット自体の寿命を大幅に延長できることから、バケットの交換期間・交換作業を大幅に延長でき、結果的にこの種の作業機械のコスト削減を図ることができるようにしたバケット先端の隠蔽部付きアダプタ、及び当該アダプタを装着するようにした掘削等を行う作業機械に取り付けられるバケットに関するものである。
【背景技術】
【０００２】
従来、パワーショベルやショベルローダ等の掘削等を行う作業機械のバケットには、その先端位置を占めるエッジ部に間隔をおいて複数個のアダプタ部の装着部を溶接等により固着し、各アダプタ部に掘削等を行う掘削用のポイントや整地作業等用のツース盤の装着部を嵌着し、ロックピン等の固定手段によりアダプタ部とポイント又はツース盤とを一体的に連結固定し、これにより、土砂等の掘削や掘削した土砂等の整地、運搬車等への移送を実行するようにしている。
【０００３】
この場合、バケットのエッジ部の隠蔽が極めて重要となり、エッジ部の隠蔽が不十分であれば、エッジ部の摩耗、損傷を招き、更にはバケット寿命の低下という重大な不都合事態が生じる。
【０００４】
特許文献１には、本発明に関連する技術として、ショベル機械用のバケットに付設されるツース盤であって、このツース盤はバケットの先端に突設されるアダプタ部材を介して着脱自在に設けられ、このツース盤には、該ツース盤をバケットの先端に付設した際、バケット先端とツース盤基端との間に生じる隙間を隠蔽する隠蔽部が設けられ、この隠蔽部は、ツース盤の基端側外方位置に設けられてバケットの先端外面部に重合状態に配されるとともに、隠蔽部が当該バケットに固定部により連結固定した構成からなるショベル機械用のバケットに付設されるツース盤が提案されている。
【０００５】
また、特許文献２には、掘削機器の掘削エッジを保護する磨耗部材であって、前端部と、前記掘削機器の支持構造物を受けるようになっており、上表面、下表面、及び前記上表面と下表面の間に延びている前側当接表面によって画定される前端部を有する後向きに開口するキャビティであって、前記上及び下表面は前記支持体構造物の中心平面に対して全体的に同じ方向に傾斜しているキャビティと、前記磨耗部材を前記支持構造物に保持するようにロックを受ける開口とを備えた掘削機器の掘削エッジを保護する磨耗部材が提案されている。
【０００６】
しかし、バケットのエッジ部（バケットの先端部分）に直接付設・装着されるアダプタ自体に、バケットのエッジ部を包覆・隠蔽するような構成を採用し、バケットのエッジ部を包覆・隠蔽する機能を持たせたような技術は見当たらないのが現状である。
【先行技術文献】
【特許文献】
【０００７】
【特許文献１】特開２００４−１２４４１４号公報
【特許文献２】特表２００９−５０６２４１号公報
【発明の概要】
【発明が解決しようとする課題】
【０００８】
本発明が解決しようとする問題点は、掘削等を行う作業機械のバケットにおけるアダプタ自体に、バケットのエッジ部を包覆・隠蔽するような構成を採用し、バケットのエッジ部を包覆・隠蔽する機能を有するようなバケット先端の隠蔽部付きアダプタ及び掘削等を行う作業機械に取り付けられるバケットが存在しない点である。
【課題を解決するための手段】
【０００９】
本発明は、掘削等を行う作業工事用のバケットのエッジ部に付設されるバケット先端の隠蔽部付きアダプタ、及び掘削等を行う作業機械に取り付けられるバケットであって、特にバケット先端の隠蔽部付きアダプタは、前記バケットのエッジ部に装着される装着部と、この装着部から突設したポイント又はツース盤装着用の突出体とを具備するアダプタ本体と、前記アダプタ本体の装着部から側方に突出する状態に一体形成され、前記装着部側方におけるバケットのエッジ部を覆う状態でこのエッジ部に装着されて前記エッジ部を包覆・隠蔽する隠蔽部と、を有することを最も主要な特徴とする。
【発明の効果】
【００１０】
請求項１乃至５記載の各発明によれば、この種のアダプタにおける既存のアダプタ機能、すなわち、バケット１のエッジ部（先端部分）にツース盤又はポイントを装着する場合のアダプタ用具としての機能を有するとともに、バケットにツース盤を装着する場合のアダプタとして用いる場合においては、バケットのエッジ部を包覆・隠蔽する構成とすることにより、バケットのエッジ部の磨耗を大幅に無くし、バケット自体の寿命を大幅に延長できることから、バケットの交換期間・交換作業を大幅に延長でき、結果的にこの種の作業機械のコスト削減を図ることができる。
更に、請求項１乃至５記載の各発明によれば、隠蔽部付きアダプタにおける隠蔽部の突出寸法を均一とせず、バケットのエッジ部の幅に対応して隠蔽部の突出寸法を大小に変更した複数の隠蔽部付きアダプタを予め作製しておくか、或いは、例えば、隠蔽部付きアダプタの幅Ｗ１、隠蔽部無しアダプタの幅Ｗ２、バケットのエッジ部の幅Ｗ０としたとき、（Ｗ１×４）＋Ｗ２＜Ｗ０で、かつ、例えば（Ｗ１×４）＋Ｗ２がＷ０に対して９５〜９８％であるように作製しておけば、複数の隠蔽部付きアダプタを用いるとき、各アダプタ本体間の間隔調整を実現でき、左右のアダプタ本体のピッチ調整が可能となる。
【００１１】
請求項６乃至９記載の各発明によれば、隠蔽部付きアダプタと、隠蔽部無しアダプタとを組み合わせてバケットのエッジ部に列設することにより、前記請求項１乃至５記載の各発明の効果を発揮できる掘削等を行う作業機械に取り付けられるバケットを実現し、提供することができる。
【図面の簡単な説明】
【００１２】
【図１】図１は本発明の実施例における隠蔽部付きアダプタと隠蔽部無しのアダプタとをエッジ部に装着したバケットを示す概略斜視図である。
【図２】図２は本実施例に係る隠蔽部付きアダプタの概略平面図である。
【図３】図３は本実施例に係る隠蔽部付きアダプタの概略側面図である。
【図４】図４は本実施例に係る隠蔽部付きアダプタの概略背面図である。
【図５】図５は本実施例に係る隠蔽部無しアダプタの概略平面図である。
【図６】図６は本実施例に係る隠蔽部無しアダプタの概略側面図である。
【図７】図７は本実施例に係る隠蔽部無しアダプタの概略背面図である。
【図８】図８は本実施例における隠蔽部付きアダプタ、隠蔽部無しアダプタ、バケットのエッジ部における幅方向の寸法関係を示す説明図である。
【図９】図９は本実施例における隠蔽部付きアダプタと隠蔽部無しアダプタとをバケットのエッジ部に装着し、更に各アダプタにツース盤を装着した状態を示す概略斜視図である。
【図１０】図１０は本実施例における隠蔽部付きアダプタと隠蔽部無しアダプタとをバケットのエッジ部に装着し、更に各アダプタにポイントを装着した状態を示す概略斜視図である。
【図１１】図２は本実施例に係る変形例で、横ピン穴型の隠蔽部付きアダプタの概略平面図である。
【図１２】図３は本実施例に係る変形例で、横ピン穴型の隠蔽部付きアダプタの概略側面図である。
【発明を実施するための形態】
【００１３】
本発明は、掘削等を行う作業機械のバケットにおけるアダプタ自体で包覆・隠蔽するエッジ部の側方に連なるバケットのエッジ部（バケットの先端部分）を包覆・隠蔽する機能を有するバケット先端の隠蔽部付きアダプタ、及び掘削等を行う作業機械に取り付けられるバケットを提供するという目的を、掘削等を行う作業工事用のバケットのエッジ部に付設・装着されるバケット先端の隠蔽部付きアダプタであって、前記バケットのエッジ部に対してアダプタ本体凹陥部が装着される装着部と、この装着部から突設した縦ピン穴型又は横ピン穴型でポイント又はツース盤装着用の突出体とを具備するアダプタ本体と、前記アダプタ本体の装着部から側方に突出する状態に一体形成されるとともに、前記アダプタ本体凹陥部と同様形状の隠蔽部凹陥部を具備し、前記装着部側方のエッジ部を覆う状態でバケットのエッジ部（バケットの先端部分）に隠蔽部凹陥部が装着されて前記エッジ部を包覆・隠蔽する隠蔽部と、を有する構成により実現した。
【実施例】
【００１４】
以下、本発明の実施例に係るバケット先端の隠蔽部付きアダプタ及び掘削等を行う作業機械に取り付けられるバケットについて図面を参照して詳細に説明する。
【００１５】
図１は、本実施例におけるバケット先端の隠蔽部付きアダプタ（以下「隠蔽部付きアダプタ」という）１１を例えば４個用い、この隠蔽部付きアダプタ１１と組み合わせて使用するバケット先端の隠蔽部無しアダプタ（以下「隠蔽部無しアダプタ」という）２１を例えば１個用い、これらをバケットのエッジ部２に列設しつつ装着した状態のバケット１を示すものである。
【００１６】
前記隠蔽部付きアダプタ１１について、図２乃至図４を参照して詳述する。
【００１７】
前記隠蔽部付きアダプタ１１は、前記バケット１のエッジ部２に対してアダプタ本体凹陥部１２ａが前記エッジ部２を覆うようにして装着される装着部１２と、この装着部１２から前方に突設した突出体１３とを具備するアダプタ本体１４と、前記アダプタ本体１４の装着部１２から図２において左側方に（アダプタ本体１４と直交する方向）に突出する状態に一体形成されるとともに、前記アダプタ本体凹陥部１２ａと同様形状の隠蔽部凹陥部１６を具備し、前記装着部１２よりも側方のエッジ部２を覆う状態でこのエッジ部２に前記隠蔽部凹陥部１６が装着されて、前記エッジ部２を包覆・隠蔽する隠蔽部１５と、を具備している。
【００１８】
すなわち、アダプタ本体１４のアダプタ本体凹陥部１２ａと、隠蔽部１５の隠蔽部凹陥部１６とは、図３に示すように、側面視で前記バケット１のエッジ部２の形状に対応するコ状空間を形成し、これらアダプタ本体凹陥部１２ａ、隠蔽部凹陥部１６により、図２、図８に示すように、隠蔽部付きアダプタ１１の幅Ｗ１に相当する寸法で前記バケット１のエッジ部２を包覆・隠蔽するように構成している。
【００１９】
前記突出体１３には、後述するポイント３１又はツース盤４１を連結固定するための縦ピン穴１３ａが設けられている。
なお、本発明における隠蔽部付きアダプタ１１は、図１１、図１２に示すように、前記縦ピン穴１３ａに代替して、前記突出体１３に、横ピン穴型のポイント又はツース盤を連結固定するための横ピン穴１３ｂを設けた隠蔽部付きアダプタ１１Ａとして構成しても良い。この場合においては、隠蔽部付きアダプタ１１Ａを、横ピン穴型のポイント又はツース盤装着用の突出体を具備するアダプタとして実施できる。図１１、図１２に示す隠蔽部付きアダプタ１１Ａは、横ピン穴１３ｂ以外の各部分は、本実施例に示す各部分と同じであるので、本実施例に示す各部分の符号と同じものを用いている。
【００２０】
また、前記突出体１３は、前記装着部１２側から突出端に至るにしたがい寸法が漸減する先細角体状に形成している。
【００２１】
次に、図５乃至図７を参照して隠蔽部無しアダプタ２１について説明する。
【００２２】
前記隠蔽部無しアダプタ２１は、公知のアダプタと同様な構成であり、前記バケット１のエッジ部２に対してアダプタ本体凹陥部２２ａが前記エッジ部２を覆うようにして装着され、溶接等で固定される装着部２２と、この装着部２２から前方に突設した突出体２３とを具備するアダプタ本体２４と、を具備している。
【００２３】
すなわち、前記隠蔽部無しアダプタ２１は、既述した隠蔽部付きアダプタ１１の隠蔽部１５を無くした構成としている。
【００２４】
前記突出体２３には、後述するポイント３１又はツース盤４１を連結固定するための縦ピン穴２３ａが設けられている。
【００２５】
また、前記突出体２３は、前記装着部２２側から突出端に至るにしたがい寸法が漸減する先細角体状に形成している。
【００２６】
次に、図８を参照して、例えば４個の隠蔽部付きアダプタ１１、例えば１個の隠蔽部無しアダプタ２１、バケット１のエッジ部２の幅方向（エッジ部２の端縁方向）の寸法関係について説明する。
【００２７】
図８に示すように、前記隠蔽部付きアダプタ１１の幅Ｗ１、隠蔽部無しアダプタ２１の幅Ｗ２、バケット１のエッジ部２の幅Ｗ０としたとき、例えば、（Ｗ１×４）＋Ｗ２＜Ｗ０で、かつ、例えば（Ｗ１×４）＋Ｗ２がＷ０に対して９５〜９８％であるように寸法設定すれば、例えば４個の隠蔽部付きアダプタ１１と、例えば１個の隠蔽部無しアダプタ２１とによって、前記バケット１のエッジ部２の略全域を隠蔽することができる。
【００２８】
次に、図９、図１０を参照して、本実施例の隠蔽部付きアダプタ１１及び隠蔽部無しアダプタ２１を前記エッジ部２に装着したバケット１の具体的使用態様について説明する。
【００２９】
図１０は、本実施例における例えば４個の隠蔽部付きアダプタ１１と、例えば１個の隠蔽部無しアダプタ２１とを前記バケット１のエッジ部２に装着し、更に前記各隠蔽部付きアダプタ１１、隠蔽部無しアダプタ２１に対して合計５個の例えば地盤掘削用の公知のポイント３１を縦ピン連結型の構成の基に各々着脱可能に装着した状態を示すものである。
【００３０】
前記ポイント３１は、前記隠蔽部付きアダプタ１１の突出体１３又は前記隠蔽部無しアダプタ２１の突出体２３に装着する基部３２と、この基部３２から前方に突出させた突出刃体３３とを具備し、公知の縦ピン連結型で前記ポイント３１に着脱可能に装着されるようになっている。
【００３１】
また、図９は、本実施例における例えば４個の隠蔽部付きアダプタ１１と、例えば１個の隠蔽部無しアダプタ２１とを前記バケット１のエッジ部２に装着し、更に前記各隠蔽部付きアダプタ１１、隠蔽部無しアダプタ２１に対して合計５個（５連）の公知の整地作業等用のツース盤４１を縦ピン連結型の構成の基に着脱可能に装着した状態を示すものである。
【００３２】
前記ツース盤４１は、前記隠蔽部付きアダプタ１１の突出体１３又は前記隠蔽部無しアダプタ２１の突出体２３に装着する基部４２と、基部４２と一体形成した先端側に刃部４４を有する地均板４３と、基部４２の横位置で、かつ、地均板４３と一体形成した隣りのツース盤４１の地均板４３を挟み込む挟持連結部４５とを設けた公知の構成からなり、公知の縦ピン連結型で前記ポイント３１に着脱可能に装着されるようになっている。
【００３３】
以上説明した本実施例に係る隠蔽部付きアダプタ１１及びバケット１によれば、以下の作用効果を奏する。
【００３４】
すなわち、本実施例に係る隠蔽部付きアダプタ１１によれば、上述したように、アダプタ本体１４の装着部１２から側方に突出する状態に隠蔽部１５を一体形成した構成としているので、図９に示すように、本実施例に係る隠蔽部付きアダプタ１１を複数個（例えば４個）と、隠蔽部無しアダプタ２１とを組み合わせることにより、バケット１のエッジ部２の略全域を包覆・隠蔽することが可能となり、これにより、この種のアダプタにおける既存のアダプタ機能、すなわち、バケット１のエッジ部２（先端部分）にツース盤４１又はポイント３１を装着する場合のアダプタ用具としての機能を有するとともに、バケット１にツース盤４１を装着する場合のアダプタとして用いる場合においては、バケット１のエッジ部２を包覆・隠蔽する構成とすることにより、バケット１のエッジ部２の磨耗を大幅に無くし、バケット１自体の寿命を大幅に延長できることから、バケット１の交換期間・交換作業を大幅に延長でき、結果的にこの種の作業機械のコスト削減を図ることができる。
【００３５】
更には、本実施例に係る隠蔽部付きアダプタ１１によれば、この隠蔽部付きアダプタ１１における隠蔽部１５の突出寸法を均一とせず、バケット１のエッジ部２の幅に対応して隠蔽部１５の突出寸法を大小に変更した複数の隠蔽部付きアダプタ１１を予め作製しておくか、或いは、例えば、図８のように、前記隠蔽部付きアダプタ１１の幅Ｗ１、隠蔽部無しアダプタ２１の幅Ｗ２、バケット１のエッジ部２の幅Ｗ０としたとき、（Ｗ１×４）＋Ｗ２＜Ｗ０で、かつ、例えば（Ｗ１×４）＋Ｗ２がＷ０に対して９５〜９８％であるように作製しておけば、複数の隠蔽部付きアダプタ１１を用いるとき、各アダプタ本体１４間の間隔調整を実現でき、左右のアダプタ本体１４のピッチ調整が可能となる。
【００３６】
なお、前記隠蔽部付きアダプタ１１については、図１、図２に示すように、隠蔽部１５をアダプタ本体１４の装着部１２から左側方に突出形成した例を説明したが、隠蔽部１５をアダプタ本体１４の装着部１２から右側方に突出形成した構成としても上述した場合と同様な効果を奏する。
【００３７】
また、図１に示す例では、隠蔽部付きアダプタ１１を４個、隠蔽部無しアダプタ２１を１個用いた例について示したが、隠蔽部付きアダプタ１１、隠蔽部無しアダプタ２１の使用個数は特に限定するものではなく、使用するバケット１のエッジ部２の幅に応じて、種々の変更実施が可能である。
【産業上の利用可能性】
【００３８】
本発明は、パワーショベルやショベルローダ等の掘削等を行う作業機械に用いられる各種バケットに関して広範に適用可能である。
【符号の説明】
【００３９】
１    バケット
２    エッジ部
１１    隠蔽部付きアダプタ
１１Ａ  隠蔽部付きアダプタ
１２    装着部
１２ａ  アダプタ本体凹陥部
１３    突出体
１３ａ  縦ピン穴
１３ｂ  横ピン穴
１４    アダプタ本体
１５    隠蔽部
１６    隠蔽部凹陥部
２１    隠蔽部無しアダプタ
２２    装着部
２２ａ  アダプタ本体凹陥部
２３    突出体
２３ａ  縦ピン穴
２４    アダプタ本体
３１    ポイント
３２    基部
３３    突出刃体
４１    ツース盤
４２    基部
４３    地均板
４４    刃部
４５    挟持連結部
Ｗ０    エッジ部の幅
Ｗ１    隠蔽部付きアダプタの幅
Ｗ２    隠蔽部無しアダプタの幅
【図１】
2015031039.tif 000003
【図２】
2015031039.tif 000004
【図３】
2015031039.tif 000005
【図４】
2015031039.tif 000006
【図５】
2015031039.tif 000007
【図６】
2015031039.tif 000008
【図７】
2015031039.tif 000009
【図８】
2015031039.tif 000010
【図９】
2015031039.tif 000011
【図１０】
2015031039.tif 000012
【図１１】
2015031039.tif 000013
【図１２】
2015031039.tif 000014
【手続補正書】
【提出日】平成26年5月29日(2014.5.29)
【手続補正１】
【補正対象書類名】明細書
【補正対象項目名】００１２
【補正方法】変更
【補正の内容】
【００１２】
【図１】図１は本発明の実施例における隠蔽部付きアダプタと隠蔽部無しのアダプタとをエッジ部に装着したバケットを示す概略斜視図である。
【図２】図２は本実施例に係る隠蔽部付きアダプタの概略平面図である。
【図３】図３は本実施例に係る隠蔽部付きアダプタの概略側面図である。
【図４】図４は本実施例に係る隠蔽部付きアダプタの概略背面図である。
【図５】図５は本実施例に係る隠蔽部無しアダプタの概略平面図である。
【図６】図６は本実施例に係る隠蔽部無しアダプタの概略側面図である。
【図７】図７は本実施例に係る隠蔽部無しアダプタの概略背面図である。
【図８】図８は本実施例における隠蔽部付きアダプタ、隠蔽部無しアダプタ、バケットのエッジ部における幅方向の寸法関係を示す説明図である。
【図９】図９は本実施例における隠蔽部付きアダプタと隠蔽部無しアダプタとをバケットのエッジ部に装着し、更に各アダプタにツース盤を装着した状態を示す概略斜視図である。
【図１０】図１０は本実施例における隠蔽部付きアダプタと隠蔽部無しアダプタとをバケットのエッジ部に装着し、更に各アダプタにポイントを装着した状態を示す概略斜視図である。
【図１１】図１１は本実施例に係る変形例で、横ピン穴型の隠蔽部付きアダプタの概略平面図である。
【図１２】図１２は本実施例に係る変形例で、横ピン穴型の隠蔽部付きアダプタの概略側面図である。